(57)【特許請求の範囲】
【請求項１】
蓄電体ケースに発電要素を密閉状態で収容した複数の蓄電体と、
前記複数の蓄電体及び絶縁性を有する液体を密閉状態で収容する蓄電装置ケースと、を有し、
前記複数の蓄電体のうち、少なくとも２つの蓄電体は、
前記蓄電体ケースの内部で発生したガスによって、前記蓄電体ケースの内部における圧力が第１の閾値以上に上昇したときに、閉じ状態から開き状態に変化して前記蓄電体ケースの外部にガスを放出させるための第１の弁と、
前記蓄電体ケースの外部に放出されたガスによって、前記蓄電体ケースの外部における圧力が第２の閾値以上に上昇したときに、閉じ状態から開き状態に変化して前記蓄電体ケースの内部に前記液体を浸入させるための第２の弁と、を有することを特徴とする蓄電装置。
【請求項２】
前記第１の弁は、前記蓄電体ケースの内部における圧力が、前記蓄電体ケースの外部の前記液体における圧力よりも高い場合に、閉じ状態から開き状態に変化し、
前記第２の弁は、前記蓄電体ケースの外部の前記液体における圧力が、前記蓄電体ケースの内部における圧力よりも高い場合に、閉じ状態から開き状態に変化することを特徴とする請求項１に記載の蓄電装置。
【請求項３】
前記発電要素は、正極と、負極と、前記正極及び前記負極の間に配置された電解質層とを有することを特徴とする請求項１又は２に記載の蓄電装置。
【請求項４】
請求項１から３のいずれか１つに記載の蓄電装置を備えたことを特徴とする車両。
【発明の詳細な説明】
【技術分野】
【０００１】
本発明は、ケース内に複数の蓄電体及び絶縁性の液体を収容した蓄電装置と、該蓄電装置を備えた車両に関するものである。
【背景技術】
【０００２】
従来の電池パックでは、パックケース内に、電気的に直列に接続された複数の単電池（二次電池等）を収容している。ここで、単電池の放熱性を向上させるためと、複数の単電池を互いに絶縁状態とするために、パックケース内に絶縁性の油（以下、絶縁油という）を収容したものがある（例えば、特許文献１〜５参照）。
【０００３】
一方、単電池は、電池ケース内に発電要素を収容した構成となっており、単電池が過充電等によって異常状態となったときに、発電要素からガスが発生するおそれがある。そこで、電池ケースに、発電要素から発生するガスを電池ケースの外部に放出させるための弁を設けたものがある。なお、発電要素とは、正極板、負極板及び電解液を備えた構成であり、充放電を行うことができるものである。
【特許文献１】特開平１０−２４７５１３号公報
【特許文献２】特開２００１−３０７６９１号公報
【特許文献３】特開２００１−６０４６６号公報
【特許文献４】特開２００３−５１２９８号公報
【特許文献５】特開平９−１７４０１号公報
【発明の開示】
【発明が解決しようとする課題】
【０００４】
上述した弁を有する単電池を備えた電池パックにおいて、単電池が異常状態となることによって、単電池の内部で発生したガスが弁を介して放出されると、単電池の内部に設けられた発電要素の一部（具体的には、電解液）がガスとともに、単電池の外部に漏れてしまうことがある。ここで、パックケースには絶縁油が充填されているため、複数の単電池は、互いに絶縁された状態にあるが、上述したように単電池から電解液が漏れてしまうと、絶縁油の絶縁性が低下してしまう。
【０００５】
このように絶縁油の絶縁性が低下すると、ガスが発生した単電池と他の単電池との間において電流が流れるおそれがあり、この場合には、他の単電池における温度が上昇してしまう。そして、他の単電池における温度が上昇すると、他の単電池の内部においてガスの発生を誘発し、弁が閉じ状態から開き状態に変化してしまうことがある。
【０００６】
このように、少なくとも１つの単電池に設けられた弁が開き状態となると、他の単電池に設けられた弁も連鎖的に開き状態となってしまうことがある。この場合には、パックケースの内部における圧力が過度に上昇してしまう。
【０００７】
ここで、パックケースの内部における圧力が過度に上昇する場合には、パックケースの強度を予め上記圧力上昇に耐えうるものとしたり、パックケース内のガスを外部に導くためのガス誘導機構を設けたりすればよいが、この場合には、以下に説明する不具合が生じてしまう。
【０００８】
すなわち、パックケースの強度を上げる場合には、パックケースの構造が複雑になってしまい、電池パックが大型化したり、この重量が重くなったりしてしまう。また、電池パックにガス誘導機構を設ける場合には、ガス誘導機構を設けた分だけ、電池パックが大型化したり、電池パックのレイアウトが制限されたりしてしまう。
【０００９】
このような電池パックの大型化等は、電池パックを車両に搭載する場合において、好ましくない。すなわち、電池パックの大型化等によって、車両が大型化等してしまうことにもなる。
【課題を解決するための手段】
【００１０】
本発明である蓄電装置は、蓄電体ケースに発電要素を密閉状態で収容した複数の蓄電体と、複数の蓄電体及び絶縁性を有する液体を密閉状態で収容する蓄電装置ケースとを有し、複数の蓄電体のうち、少なくとも２つの蓄電体は、蓄電体ケースの内部で発生したガスによって、蓄電体ケースの内部における圧力が第１の閾値以上に上昇したときに、閉じ状態から開き状態に変化して蓄電体ケースの外部にガスを放出させるための第１の弁と、蓄電体ケースの外部に放出されたガスによって、蓄電体ケースの外部における圧力が第２の閾値以上に上昇したときに、閉じ状態から開き状態に変化して前記蓄電体ケースの内部に前記液体を浸入させるための第２の弁と、を有することを特徴とする。
【００１１】
ここで、蓄電体ケースの内部における圧力が、蓄電体ケースの外部における圧力よりも高い場合に、第１の弁を閉じ状態から開き状態に変化させ、蓄電体ケースの外部における圧力が、蓄電体ケースの内部における圧力よりも高い場合に、第２の弁を閉じ状態から開き状態に変化させることができる。
【００１２】
なお、発電要素は、正極と、負極と、正極及び負極の間に配置された電解質層とで構成することができる。
【００１３】
本発明の蓄電装置は、車両に搭載することができ、この場合には、レイアウトの自由度を向上させることができる。
【発明の効果】
【００１４】
本発明によれば、例えば、蓄電体（蓄電体ケース）の内部でガスが発生した場合に、第１の弁が開き状態に変化することで、蓄電体ケースの外部（言い換えれば、蓄電装置ケースの内部）にガスを放出させ、これに伴って蓄電装置ケースの内部における圧力が上昇したときに、第２の弁を開き状態に変化させることができる。
【００１５】
ここで、第２の弁が開き状態に変化すると、絶縁性を有する液体が蓄電体の内部に進入して発電要素と接触することにより、この蓄電体における内部抵抗を上昇させることができる。これにより、内部抵抗が上昇した蓄電体においては、ガスの発生を抑制することができる。
【００１６】
このように、蓄電体からのガスの発生を抑制することで、蓄電装置ケースの構造を簡素化して、軽量化することができる。したがって、蓄電装置ケースを含む蓄電装置を小型化したり、軽量化したりすることができる。
【発明を実施するための最良の形態】
【００１７】
以下、本発明の実施例について説明する。
【実施例１】
【００１８】
まず、本発明の実施例１である電池パック（蓄電装置）の構成について、図１を用いて説明する。ここで、図１は、本実施例の電池パックの分解斜視図であり、本実施例の電池パックは、車両に搭載することができる。
【００１９】
本実施例の電池パック１は、パックケース（蓄電装置ケース）２と、パックケース２内に収容される電池ユニット３及び絶縁油４とで構成されている。ここで、パックケース２は、図１に示すように、電池ユニット３及び絶縁油４を収容するための空間を形成する容器２１と、容器２１の開口部２１ａを覆う蓋部材２２とを有している。
【００２０】
容器２１の外側面には、電池パック１（電池ユニット３）の放熱性を向上させるための、複数の放熱フィン２１ｂが設けられている。なお、放熱フィン２１ｂを設けない構成としてもよい。蓋部材２２は、容器２１に対して、ボルト等の締結部材（不図示）を用いて固定される。これにより、パックケース２の内部は、密閉状態となる。また、容器２１は、ボルト等の締結部材（不図示）によって、車両本体（例えば、フロアパネルやフレーム）に固定される。ここで、パックケース２は、耐久性及び耐食性に優れた材料で形成することが好ましく、この材料として、具体的には、アルミ等の金属を用いることができる。
【００２１】
容器２１内に収容される電池ユニット３は、複数の単電池３１がバスバー３２によって電気的に直列に接続された組電池３３と、組電池３３を両端側から狭持するための狭持機構３４とを有している。狭持機構３４は、組電池３３を両端側から狭持する２つの狭持部材３４ａと、これらの狭持部材３４ａを互いに連結するための連結部材３４ｂとを有している。電池ユニット３は、容器２１の内部に固定される。
【００２２】
絶縁油４としては、例えば、シリコンオイルを用いることができる。なお、本実施例では、絶縁油４を用いているが、これに限るものではなく、絶縁油の代わりに不活性液体を用いることもできる。この不活性液体も絶縁性を有する液体であり、具体的には、フッ素系不活性液体である、フロリナート、Ｎｏｖｅｃ  ＨＦＥ(hydrofluoroether)、Ｎｏｖｅｃ１２３０（スリーエム社製）を用いることができる。
【００２３】
次に、組電池３３を構成する単電池３１の構造について、図２を用いて具体的に説明する。ここで、図２は、単電池３１の構成を示す外観斜視図である。
【００２４】
図２において、単電池３１は、後述する発電要素３１ａと、発電要素３１ａを収容する電池ケース３１ｂと、電池ケース３１ｂに設けられた第１及び第２の弁３１ｃ，３１ｄとを有している。電池ケース３１ｂは、ラミネートフィルム等によって形成することができる。
【００２５】
ここで、発電要素３１ａには、正極端子３１ａ１及び負極端子３１ａ２が接続されており、これらの一部は、電池ケース３１ｂを貫通して電池ケース３１ｂの外部に延びている。各単電池３１における正極端子３１ａ１及び負極端子３１ａ２は、図１に示すバスバー３２によって、他の単電池３１における正極端子３１ａ１及び負極端子３１ａ２と電気的及び機械的に接続されている。
【００２６】
次に、発電要素３１ａの構成について、図３を用いて説明する。ここで、図３は、発電要素３１ａの概略構成を示す断面図である。
【００２７】
集電体５１のうち一方の面には正極層（電極層）５２が形成され、他方の面には負極層（電極層）５３が形成されている。この電極層５２，５３及び集電体５１によって、バイポーラ電極５４が構成される。電極層５２，５３は、インクジェット方式等を用いることにより、集電体５１上に形成することができる。
【００２８】
また、２つのバイポーラ電極５４の間には、電解質層５５が設けられている。電解質層５５は、一方のバイポーラ電極５４における正極層５２に接触しているとともに、他方のバイポーラ電極５４における負極層５３に接触している。このように、バイポーラ電極５４及び電解質層５５が交互に積層されることにより、発電要素３１ａが構成されている。
【００２９】
なお、本実施例の発電要素３１ａでは、図３に示すような積層構造としているが、これに限るものではなく、バイポーラ電極５４を、電解質層５５を介して巻回した構成であってもよい。
【００３０】
ここで、発電要素３１ａの積層方向（図３の上下方向）における両端に位置する集電体５１には、一方の面にのみ電極層（正極層５２又は負極層５３）が形成されている。また、他方の面には、電流を取り出すための電極端子（正極端子３１ａ１及び負極端子３１ａ２）が電気的及び機械的に接続されている。
【００３１】
各電極層５２，５３には、正極及び負極に応じた活物質が含まれている。また、各電極層５２，５３には、必要に応じて、導電剤、バインダ、イオン伝導性を高めるための無機固体電解質、高分子ゲル電解質、高分子固体電解質、添加剤などが含まれる。
【００３２】
例えば、ニッケル−水素電池では、正極層５２の活物質として、ニッケル酸化物を用い、負極層５３の活物質として、ＭｍＮｉ（５−ｘ−ｙ−ｚ）ＡｌｘＭｎｙＣｏｚ（Ｍｍ：ミッシュメタル）等の水素吸蔵合金を用いることができる。また、電解質層５５としては、セパレータとしての不織布に、電解液としての水酸化カリウムを含ませたものを用いることができる。
【００３３】
また、リチウムイオン電池では、正極層５２の活物質として、リチウム−遷移金属複合酸化物を用い、負極層５３の活物質として、カーボンを用いることができる。そして、電解質層５５として、セパレータに公知の有機電解液を含ませたものを用いることができる。一方、導電剤としては、アセチレンブラック、カーボンブラック、グラファイト、炭素繊維、カーボンナノチューブを用いることができる。
【００３４】
なお、本実施例では、角型の単電池３１を用いた場合について説明するが、これに限るものではなく、円筒型等の他の形状とすることもできる。また、二次電池以外にも、電気二重層キャパシタ（コンデンサ）を用いることもできる。
【００３５】
さらに、本実施例では、バイポーラ電極５４を用いた場合について説明したが、これに限るものではない。例えば、集電体の両面に正極層を形成した電極体と、集電体の両面に負極層を形成した電極体とを用いることもできる。この場合には、正極層を備えた電極体と、負極層を備えた電極体とが、電解質層を介して交互に配置（積層）されることになる。
【００３６】
集電体５１は、例えば、アルミニウム箔で形成したり、複数の金属（合金）で形成したりすることができる。また、金属（アルミニウムを除く）の表面にアルミニウムを被覆させたものを集電体５１として用いることもできる。
【００３７】
集電体５１として、複数の金属泊を貼り合わせた、いわゆる複合集電体を用いることもできる。この複合集電体を用いる場合においては、正極用集電体の材料としてアルミニウム等を用い、負極用集電体の材料としてニッケルや銅等を用いることができる。また、複合集電体としては、正極用集電体及び負極用集電体を直接接触させたものを用いたり、正極用集電体及び負極用集電体の間に導電性を有する層を設けたものを用いたりすることができる。
【００３８】
次に、単電池３１に設けられた第１の弁３１ｃの構成について、図４を用いて説明する。ここで、図４は、第１の弁３１ｃの内部構成を示す断面図である。
【００３９】
第１の弁３１ｃは、後述するように、単電池３１の異常時（例えば、過充電時）に発電要素３１ａからガスが発生した場合に、このガスを単電池３１の外部（言い換えれば、絶縁油４の中）に放出させるために用いられる。第１の弁３１ｃは、具体的には、開口部６１ａが形成された外装部材６１と、電池ケース３１ｂに形成された開口部３１ｂ１を開閉するための蓋部材６２と、蓋部材６２を開口部３１ｂ１の側に付勢する付勢部材（バネ）６３とを有している。
【００４０】
外装部材６１は、電池ケース３１ｂの外表面に固定されている。また、付勢部材６３は、一端が蓋部材６２に固定され、他端が外装部材６１の内面に固定されている。蓋部材６２は、電池ケース３１ｂの外表面に密接させるために、弾性変形が可能な部材（例えば、ゴム）によって形成されている。
【００４１】
図４に示す状態において、蓋部材６２は電池ケース３１ｂに密接し、開口部３１ｂ１を塞いでいる。これにより、電池ケース３１ｂの内部は、密閉状態となる。ここで、蓋部材６２の大きさ（図４の左右方向の長さ）は、開口部３１ｂ１の大きさ（図４の左右方向の長さ）よりも大きく、外装部材６１の大きさ（図４の左右方向の長さ）よりも小さくなっている。
【００４２】
また、付勢部材６３による付勢力は、以下に説明するように、ガスの発生に伴う単電池３１の内部における圧力が所定値に到達したときに、蓋部材６２が開口部３１ｂ１から離れる方向に移動できるように設定することができる。
【００４３】
具体的には、電池ケース３１ｂの内部における気相が占める体積（発電要素３１ａを除く体積）と、発電要素３１ａから発生しうるガスの量（体積）とに基づいて、付勢部材６３の付勢力を設定することができる。例えば、電池ケース３１ｂの内部における圧力が、ガスの発生に伴って１０気圧まで上昇する場合には、５気圧（設定値）に到達したときに、第１の弁３１ｃが閉じ状態から開き状態に変化できるようにすることができる。
【００４４】
次に、単電池３１に設けられた第２の弁３１ｄの構成について、図５を用いて説明する。ここで、図５は、第２の弁３１ｄの内部構成を示す断面図である。
【００４５】
第２の弁３１ｄは、後述するように、パックケース２の内部における圧力が上昇したときに、閉じ状態から開き状態に変化し、絶縁油４を単電池３１（電池ケース３１ｂ）の内部に進入させるために用いられる。第２の弁３１ｄは、具体的には、開口部７１ａが形成された外装部材７１と、開口部７１ａを開閉するための蓋部材７２と、蓋部材７２を開口部７１ａの側に付勢する付勢部材（バネ）７３とを有している。
【００４６】
外装部材７１は、電池ケース３１ｂの外表面に固定されている。また、付勢部材７３は、一端が蓋部材７２に固定され、他端が電池ケース３１ｂの外表面に固定されている。蓋部材７２は、外装部材７１の内面に密接させるために、弾性変形が可能な部材（例えば、ゴム）によって形成されている。
【００４７】
図５に示す状態において、蓋部材７２は外装部材７１の内面に密接し、開口部７１ａを塞いでいる。これにより、単電池３１の内部は、密閉状態となる。ここで、蓋部材７２の大きさ（図５の左右方向の長さ）は、開口部７１ａの大きさ（図５の左右方向の長さ）よりも大きく、外装部材７１の大きさ（図５の左右方向の長さ）よりも小さくなっている。
【００４８】
また、付勢部材７３による付勢力は、以下に説明するように、ガスの発生に伴うパックケース２の内部における圧力が所定値に到達したときに、蓋部材７２が開口部７１ａから離れる方向に移動できるように設定することができる。
【００４９】
具体的には、単電池３１から放出されるガスの量（体積）と、パックケース２の内部における絶縁油４の体積とに基づいて、付勢部材７３の付勢力を設定することができる。例えば、パックケース２の内部における圧力が、ガスの発生に伴って１０気圧まで上昇する場合には、５気圧（設定値）に到達したときに、第２の弁３１ｄが閉じ状態から開き状態に変化できるようにすることができる。
【００５０】
上述した構成の単電池３１からなる組電池３３のうち、いずれか１つの単電池３１の発電要素３１ａからガスが発生した場合において、複数の単電池３１における第１及び第２の弁３１ｃ，３１ｄの動作について具体的に説明する。
【００５１】
組電池３３のうち、いずれか１つの単電池３１において、過充電等に伴う異常が生じて発電要素３１ａからガスが発生すると、電池ケース３１ｂの内部における圧力が上昇することになる。すなわち、ガスが発生する前の図４に示す状態（通常状態）では、上述したように、電池ケース３１ｂの内部が密閉状態となっているため、ガスの発生に伴って、電池ケース３１ｂの内部における圧力が上昇することになる。
【００５２】
そして、電池ケース３１ｂの内部における圧力が所定値（第１の閾値）に到達すると、この圧力によって、第１の弁３１ｃにおける蓋部材６２が付勢部材６３の付勢力に抗して、開口部３１ｂ１から離れる方向（図４の上方向）に移動する。これにより、開口部３１ｂ１は閉じ状態から開き状態となり、発電要素３１ａから発生したガスは、開口部３１ｂ１及び開口部６１ａを通過して、第１の弁３１ｃの外部（言い換えれば、絶縁油４）に導かれる。
【００５３】
なお、単電池３１の外部にガスが放出され、電池ケース３１ｂの内部における圧力が低下すると、蓋部材６２は、付勢部材６３の付勢力を受けることによって、開口部３１ｂ１の側に移動して、開口部３１ｂ１を閉じ状態とする。
【００５４】
一方、少なくとも１つの単電池３１から絶縁油４の中にガスが放出されると、パックケース２の内部における圧力が上昇することになる。すなわち、上述したように、パックケース２の内部は密閉状態となっているため、パックケース２の内部においてガスが増加すると、パックケース２の内部における圧力が上昇することになる。
【００５５】
そして、パックケース２の内部における圧力が所定値（第２の閾値）に到達した場合には、この圧力によって、第２の弁３１ｄにおける蓋部材７２が付勢部材７３の付勢力に抗して、開口部７１ａから離れる方向（図５の下方向）に移動する。これにより、開口部７１ａは、閉じ状態から開き状態に変化する。このとき、第１の弁３１ｃは、図４に示す閉じ状態のままで維持される。
【００５６】
ここで、単電池３１の外部（パックケース２の内部）における圧力は、単電池３１の内部における圧力よりも高くなっているため、単電池３１の外部に位置する絶縁油４は、第２の弁３１ｄを介して、単電池３１の内部に進入する。具体的には、絶縁油４は、第２の弁３１ｄにおける開口部７１ａ及び、電池ケース３１ｂの開口部３１ｂ２を通過して、電池ケース３１ｂの内部に設けられた発電要素３１ａに到達する。
【００５７】
絶縁油４が発電要素３１ａに到達した場合には、この絶縁油４によって発電要素３１ａの内部抵抗が上昇することになる。すなわち、発電要素３１ａに流れる電流量が制限されることになる。
【００５８】
このように発電要素３１ａでの電流量を制限することにより、互いに異なる位置にある単電池３１の間において電流が流れるのを抑制することができる。これにより、１つの単電池３１からガスが発生しても、これに連鎖して他の単電池３１からガスが発生するのを防止することができる。
【００５９】
そして、複数の単電池３１から連鎖的にガスが発生するのを防止することにより、パックケース２の内部における圧力が過度に上昇してしまうのを防止することができる。これにより、パックケース２の強度を下げることが可能となり、パックケース２の構造を簡素化（軽量化）することができる。また、パックケース２の構造が簡素化することで、電池パック１を小型化したり、軽量化したりすることができる。
【００６０】
また、本実施例では、上述したように、少なくとも１つの単電池３１からガスが放出された場合には、自動的に他の単電池３１の内部に絶縁油４が進入し、電池パック１の機能が停止することになるため、フェイルセーフのための制御構成を簡素化することができる。すなわち、フェイルセーフのための制御に用いられる電気部品、例えば、ガスの発生を検知するためのセンサ等を省略することができる。
【００６１】
そして、電池パック１に付随して設けられる電気部品を省略することで、車両内における電池パック１のレイアウトの自由度を向上させることができる。すなわち、電池パック１に、センサ等の電気部品を設ける場合には、電気部品に接続される配線等のレイアウトに応じて、電池パック１を配置する位置が制限されるおそれがあるが、本実施例のように、電気部品を省略することで、配線のレイアウトを考慮する必要がなくなる。これにより、例えば、電池パック１を車両の座席下に配置することができる。
【００６２】
なお、本実施例では、図４，５に示すように、第１及び第２の弁３１ｃ，３１ｄを、いわゆる復帰弁として構成しているが、いわゆる破壊弁として構成することもできる。ここで、破壊弁とは、閉じ状態から開き状態に不可逆的に変化する弁を意味する。
【００６３】
すなわち、単電池３１の内部においてガスが発生した場合に、単電池３１の内外における圧力差に応じて閉じ状態から開き状態に変化し、単電池３１外へのガスの放出を許容する第１の破壊弁（第１の弁３１ｃに相当する）を設けることができる。
【００６４】
具体的には、電池ケース３１ｂの外表面に、溝部（切り欠いたものを含む）を形成しておくことができる。この溝部を形成することにより、この溝部が形成された部分において、電池ケース３１ｂの厚さが他の部分よりも薄くなり、単電池３１の内部で発生したガスを外部に放出させることができる。ここで、溝部の大きさや深さといった寸法は、単電池３１の内部で発生したガスを外部に放出させることを目的として、適宜設定すればよい。
【００６５】
また、ガスの放出に伴ってパックケース２の内部における圧力が上昇した場合に、単電池３１の内外における圧力差に応じて閉じ状態から開き状態に変化し、絶縁油４の単電池３１内への進入を許容する第２の破壊弁（第２の弁３１ｄに相当する）を設けることができる。
【００６６】
具体的には、電池ケース３１ｂの内面に、溝部（切り欠いたものを含む）を形成しておくことができる。この溝部を形成することにより、この溝部が形成された部分において、電池ケース３１ｂの厚さが他の部分よりも薄くなり、圧力が上昇した絶縁油４を電池ケース３１ｂの内部に進入させることができる。ここで、溝部の大きさや深さといった寸法は、絶縁油４を単電池３１の内部に進入させることを目的として、適宜設定すればよい。
【００６７】
なお、単電池３１に設ける２つの弁のうち、一方の弁を復帰弁として構成し、他方の弁を破壊弁として構成することもできる。また、上述した破壊弁を用いても、上述した実施例と同様の効果を得ることができる。
【００６８】
また、本実施例では、組電池３３を構成するすべての単電池３１に対して、第１及び第２の弁３１ｃ，３１ｄを設けているが、これに限るものではなく、少なくとも２つの単電池３１に対して第１及び第２の弁３１ｃ，３１ｄを設けてもよい。この場合であっても、少なくとも２つの単電池３１に対しては、ガスの発生が連鎖的に起こるのを防止することができる。
【図面の簡単な説明】
【００６９】
【図１】本発明の実施例１である電池パックの構成を示す分解斜視図である。
【図２】単電池の構成を示す外観斜視図である。
【図３】発電要素の構成を示す断面図である。
【図４】第１の弁の内部構成を示す断面図である。
【図５】第２の弁の内部構成を示す断面図である。
【符号の説明】
【００７０】
１：電池パック（蓄電装置）
２：パックケース（蓄電装置ケース）
４：絶縁油（絶縁性を有する液体）
３１：単電池（蓄電体）
３１ａ：発電要素
３１ｂ：電池ケース（蓄電体ケース）
３１ｃ：第１の弁
３１ｄ：第２の弁
３３：組電池
【図１】
0004586824.tif 000002
【図２】
0004586824.tif 000003
【図３】
0004586824.tif 000004
【図４】
0004586824.tif 000005
【図５】
0004586824.tif 000006